(57)【要約】      （修正有）【課題】製造コストの低減を図ると共に光ピックアップのディスクテーブルに対する位置精度の向上を図る。【解決手段】二つの光ピックアップが配置されるピックアップ配置孔３ａを有するベースシャーシ３と、二つの光ピックアップの間に位置されピックアップ配置孔を２分割するようにベースシャーシに固定されたモーター取付板６と、モーター取付板に取り付けられディスクテーブル８が固定されたスピンドルモーター７と、光ピックアップを案内する一対のガイド軸とを設け、モーター取付板にスピンドルモーターが取り付けられるモーター取付部６ａと同一平面上に位置する軸取付面６ｄ、６ｄを有する軸取付部６ｃ、６ｃとを設け、ガイド軸のスピンドルモーター側に位置する端部をモーター取付板の軸取付面に押し当てた状態でモーター取付板に取り付けた。【選択図】図３
2008251106.tif 000002
【特許請求の範囲】
【請求項１】
ディスク状記録媒体に対する情報信号の記録時又は再生時にディスク状記録媒体の半径方向へ移動される二つの光ピックアップを備えたディスクドライブ装置であって、
二つの光ピックアップが配置されるピックアップ配置孔を有するベースシャーシと、
二つの光ピックアップの間に位置されベースシャーシのピックアップ配置孔を２分割するように橋渡し状にベースシャーシに固定されたモーター取付板と、
該モーター取付板に取り付けられディスクテーブルが固定されたスピンドルモーターと、
二つの光ピックアップをディスク状記録媒体の半径方向へそれぞれ移動自在に支持する各一対のガイド軸とを備え、
モーター取付板にスピンドルモーターが取り付けられるモーター取付部と該モーター取付部の両側において同一平面上に位置する軸取付面をそれぞれ有する一対の軸取付部とを設け、
ガイド軸のスピンドルモーター側に位置する端部をモーター取付板の軸取付面に押し当てた状態でモーター取付板に取り付けた
ことを特徴とするディスクドライブ装置。
【請求項２】
モーター取付板の厚みをベースシャーシの厚みより厚くした
ことを特徴とする請求項１に記載のディスクドライブ装置。
【請求項３】
ベースシャーシの外周部を折曲状に形成して補強リブとして設けた
ことを特徴とする請求項１に記載のディスクドライブ装置。
【請求項４】
モーター取付板にモーター取付部の両端部から直交する同じ方向へ突出された一対の連結部を設け、
一対の軸取付部をそれぞれ一対の連結部のモーター取付部と反対側に位置する端部に連続してモーター取付部と平行な状態で設けた
ことを特徴とする請求項１に記載のディスクドライブ装置。
【発明の詳細な説明】
【技術分野】
【０００１】
本発明はディスクドライブ装置についての技術分野に関する。詳しくは、ベースシャーシに固定されたモーター取付板にガイド軸を取り付けてディスクテーブルと光ピックアップとの間の位置精度の向上等を図る技術分野に関する。
【背景技術】
【０００２】
ディスクテーブルに装着されるディスク状記録媒体に対して情報信号の記録又は再生を行うディスクドライブ装置には、ディスク状記録媒体の半径方向へ移動される二つの光ピックアップがディスクテーブルを挟んで反対側に配置されているものがある（例えば、特許文献１参照）。
【０００３】
このような二つの光ピックアップを有するディスクドライブ装置にあっては、光ピックアップが配置されるピックアップ配置孔を有するベースシャーシが二つの光ピックアップの並び方向に長い形状とされる。
【０００４】
【特許文献１】特開２００５−１１６０３２号公報
【発明の開示】
【発明が解決しようとする課題】
【０００５】
ところが、二つの光ピックアップを有するディスクドライブ装置にあっては、上記したように、ベースシャーシが二つの光ピックアップの並び方向に長く、また、ピックアップ配置孔もベースシャーシの長手方向に長くなるため、ベースシャーシが長手方向において撓んだり捻れたりするおそれがあり、ベースシャーシの強度を高める必要がある。
【０００６】
また、ベースシャーシに撓みや捻れが発生すると、ベースシャーシに支持された光ピックアップのディスクテーブルに対する位置精度が低下し、ディスク状記録媒体に対する情報信号の記録再生動作に悪影響を及ぼすおそれがある。
【０００７】
そこで、ベースシャーシをダイキャストによって形成し強度を高めたディスクドライブ装置もあるが、この場合には、ベースシャーシをダイキャストによって形成する分、製造コストの高騰を来たすと言う問題がある。
【０００８】
そこで、本発明ディスクドライブ装置は、製造コストの低減を図ると共に光ピックアップのディスクテーブルに対する位置精度の向上を図ることを課題とする。
【課題を解決するための手段】
【０００９】
本発明ディスクドライブ装置は、二つの光ピックアップが配置されるピックアップ配置孔を有するベースシャーシと、二つの光ピックアップの間に位置されベースシャーシのピックアップ配置孔を２分割するように橋渡し状にベースシャーシに固定されたモーター取付板と、該モーター取付板に取り付けられディスクテーブルが固定されたスピンドルモーターと、二つの光ピックアップをディスク状記録媒体の半径方向へそれぞれ移動自在に支持する各一対のガイド軸とを設け、モーター取付板にスピンドルモーターが取り付けられるモーター取付部と該モーター取付部の両側において同一平面上に位置する軸取付面をそれぞれ有する一対の軸取付部とを設け、ガイド軸のスピンドルモーター側に位置する端部をモーター取付板の軸取付面に押し当てた状態でモーター取付板に取り付けたものである。
【００１０】
従って、本発明ディスクドライブ装置にあっては、ディスクテーブルが固定されたスピンドルモーターが取り付けられたモーター取付板にガイド軸が取り付けられる。
【発明の効果】
【００１１】
本発明ディスクドライブ装置は、ディスク状記録媒体に対する情報信号の記録時又は再生時にディスク状記録媒体の半径方向へ移動される二つの光ピックアップを備えたディスクドライブ装置であって、二つの光ピックアップが配置されるピックアップ配置孔を有するベースシャーシと、二つの光ピックアップの間に位置されベースシャーシのピックアップ配置孔を２分割するように橋渡し状にベースシャーシに固定されたモーター取付板と、該モーター取付板に取り付けられディスクテーブルが固定されたスピンドルモーターと、二つの光ピックアップをディスク状記録媒体の半径方向へそれぞれ移動自在に支持する各一対のガイド軸とを備え、モーター取付板にスピンドルモーターが取り付けられるモーター取付部と該モーター取付部の両側において同一平面上に位置する軸取付面をそれぞれ有する一対の軸取付部とを設け、ガイド軸のスピンドルモーター側に位置する端部をモーター取付板の軸取付面に押し当てた状態でモーター取付板に取り付けたことを特徴とする。
【００１２】
従って、製造コストの高騰を来たすことなくベースシャーシの強度を高めることができると共に光ピックアップのディスクテーブルに対する位置精度の向上を図ることができる。
【００１３】
請求項２に記載した発明にあっては、モーター取付板の厚みをベースシャーシの厚みより厚くしたので、モーター取付板の剛性が高く、ベースシャーシの捻れや撓みを防止することができる。
【００１４】
請求項３に記載した発明にあっては、ベースシャーシの外周部を折曲状に形成して補強リブとして設けたので、ベースシャーシの剛性を高くすることができる。
【００１５】
請求項４に記載した発明にあっては、モーター取付板にモーター取付部の両端部から直交する同じ方向へ突出された一対の連結部を設け、一対の軸取付部をそれぞれ一対の連結部のモーター取付部と反対側に位置する端部に連続してモーター取付部と平行な状態で設けたので、モーター取付板の剛性が高く該モーター取付板の撓みや捻れを防止することができる。
【発明を実施するための最良の形態】
【００１６】
以下に、本発明を実施するための最良の形態を添付図面に従って説明する。
【００１７】
ディスクドライブ装置１は、外筐２の内部に所要の各部材及び各機構が配置されて成り（図１参照）、外筐２には図示しないディスク挿入口が形成されている。ディスクドライブ装置１はスピンドルモーターを挟んだ反対側にそれぞれ光ピックアップが一つずつ配置された構成とされ、２つの光ピックアップに関連する各部品がスピンドルモーターを基準として対称な位置に配置されている。
【００１８】
このような２つの光ピックアップを有する装置としては、例えば、再生動作や記録動作の高速化を目的とした装置、異なる種類のディスク状記録媒体に対応して２つの光ピックアップが動作される装置等がある。
【００１９】
外筐２の内部には、例えば、上下方向を向く略長方形状に形成されたベースシャーシ３が配置されている。ベースシャーシ３には外周側の部分を除く全体にピックアップ配置孔３ａが形成されている。従って、ピックアップ配置孔３ａはベースシャーシ３の長手方向に長く形成されている。
【００２０】
ベースシャーシ３は、例えば、厚みが１．０ｍｍ乃至１．２ｍｍの板状の金属材料によって形成されている。ベースシャーシ３の外周部は下方へ略９０°折り曲げられた形状に形成され、補強リブ３ｂとして設けられている。
【００２１】
ベースシャーシ３上には、ピックアップ配置孔３ａの両側にそれぞれフレキシブルプリント配線板４、４の一部を除いた部分が取り付けられている。ベースシャーシ３には駆動モーター５、５が固定され、該駆動モーター５、５にフレキシブルプリント配線板４、４の各一端部が接続されている。駆動モーター５、５の駆動により後述する光ピックアップがディスク状記録媒体１００の半径方向へ移動される。
【００２２】
ベースシャーシ３の中央部にはモーター取付板６が固定されている。モーター取付板６は、例えば、厚みが２．０ｍｍ乃至２．４ｍｍの板状の金属材料によって形成されている。
【００２３】
モーター取付板６は、図２に示すように、上下方向を向くモーター取付部６ａと該モーター取付部６ａの両端部からそれぞれ上方へ突出された連結部６ｂ、６ｂと該連結部６ｂ、６ｂの上端部からそれぞれ外方（側方）へ突出された軸取付部６ｃ、６ｃとから成り、該軸取付部６ｃ、６ｃの上面が軸取付面６ｄ、６ｄとして形成されて同一平面上に位置されている。
【００２４】
モーター取付板６はピックアップ配置孔３ａを略同じ大きさの２つの部分に分割するようにベースシャーシ３に固定されている（図１参照）。モーター取付板６は軸取付部６ｃ、６ｃの外側の端部がそれぞれベースシャーシ３の下面に、例えば、ネジ止めによって取り付けられている。
【００２５】
モーター取付板６のモーター取付部６ａにはスピンドルモーター７が取り付けられ（図２参照）、該スピンドルモーター７のモーター軸にディスクテーブル８が固定されている。ディスクテーブル８は軸取付部６ｃ、６ｃより上方に位置されている。
【００２６】
ベースシャーシ３には、ピックアップ配置孔３ａの開口縁に沿って軸保持板９、９が取り付けられている（図１参照）。軸保持板９、９にはそれぞれガイド軸１０、１０が保持され、該ガイド軸１０、１０がピックアップ配置孔３ａの開口縁に沿って位置されている。
【００２７】
ベースシャーシ３には、ピックアップ配置孔３ａの開口縁に沿ってサブガイド軸１１、１１が配置されている。サブガイド軸１１、１１はそれぞれガイド軸１０、１０に平行な状態で配置され、軸方向における一端部がモーター取付板６の軸取付部６ｃ、６ｃにそれぞれ取り付けられ、軸方向における他端部がそれぞれベースシャーシ３に取り付けられた軸保持部材１２、１２に保持されている。
【００２８】
サブガイド軸１１、１１の各一端部は、図３に示すように、それぞれ押さえ部材１３、１３によって押さえられた状態でモーター取付板６の軸取付部６ｃ、６ｃに取り付けられている。
【００２９】
押さえ部材１３は、図２に示すように、側方を向きサブガイド軸１１と直交する方向へ延びるベース板部１４と、該ベース板部１４の長手方向における一端部から突出された押さえ板部１５と、ベース板部１４の他端部から突出された被取付板部１６とが金属材料によって一体に形成されて成り、押さえ板部１５と被取付板部１６が上下方向を向くように形成されている。
【００３０】
ベース板部１４の押え板部１５側の端部には軸挿通孔１４ａが形成されている。
【００３１】
押え板部１５の下面には下方に開口された保持溝１５ａが形成されている。
【００３２】
サブガイド軸１１は軸方向における一端部が軸挿通孔１４ａに挿入され保持溝１５ａに嵌合されて保持される。
【００３３】
押さえ部材１３は被取付部１６がベースシャーシ３の下面に、例えば、ネジ止めによって取り付けられ、押さえ板部１５がモーター取付板６の軸取付部６ｃの上方に位置される。サブガイド軸１１は保持溝１５ａに保持された一端部が押さえ板部１５によって軸取付面６ｄに押し付けられ軸取付部６ｃに取り付けられる。
【００３４】
軸保持板９に保持されたガイド軸１０と軸保持部材１２及び押さえ部材１３に保持されたサブガイド軸１１とには、図１に示すように、光ピックアップ１７がディスクテーブル８に装着されるディスク状記録媒体１００の半径方向へ移動自在に支持されている。
【００３５】
以上に記載した通り、ディスクドライブ装置１にあっては、ベースシャーシ３のピックアップ配置孔３ａを２分割するように橋渡し状にベースシャーシ４にモーター取付板６を固定しているため、製造コストの高騰を来たすことなくベースシャーシ３の強度を高めることができる。
【００３６】
また、ディスクテーブル８が固定されたスピンドルモーター７が取り付けられたモーター取付板６に、サブガイド軸１１、１１の一端部を取り付けているため、光ピックアップ１７のディスクテーブル８に対する位置精度が向上し、ディスク状記録媒体１００に対する情報信号の記録再生動作の信頼性の向上を図ることができる。
【００３７】
さらに、モーター取付板６の厚みがベースシャーシ３の厚みより厚いため、モーター取付板６の剛性が高く、ベースシャーシ３の捻れや撓みを防止することができる。
【００３８】
さらにまた、ベースシャーシ３の外周部を折曲状に形成して補強リブ３ｂとして設けているため、ベースシャーシ３の剛性を高くすることができる。
【００３９】
加えて、モーター取付板６にモーター取付部６ａ及び軸取付部６ｃ、６ｃに直交する連結部６ｂ、６ｂを設けているため、モーター取付板６の剛性が高く該モーター取付板６の撓みや捻れを防止することができる。
【００４０】
尚、モーター取付板６はモーター取付部６ａと軸取付部６ｃ、６ｃの間に両者に直交する連結部６ｂ、６ｂが設けられた構成とされているため、連結部６ｂ、６ｂの上下方向における長さを任意に設定することによりディスクテーブル８の上下方向における位置を設計に応じて容易に変更することが可能であるため、設計の自由度の向上を図ることができる。
【００４１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４２】
【図１】図２及び図３と共に本発明の最良の形態を示すものであり、本図は、ディスクドライブ装置の概略斜視図である。
【図２】ベースシャーシ、モーター取付板及び押さえ部材等を示す拡大分解斜視図である。
【図３】サブガイド軸がモーター取付板に取り付けられた状態を一部を断面にして示す拡大側面図である。
【符号の説明】
【００４３】
１…ディスクドライブ装置、３…ベースシャーシ、３ａ…ピックアップ配置孔、３ｂ…補強リブ、６…モーター取付板、６ａ…モーター取付部、６ｂ…連結部、６ｃ…軸取付部、６ｄ…軸取付面、７…スピンドルモーター、８…ディスクテーブル、１１…サブガイド軸、１７…光ピックアップ、１００…ディスク状記録媒体
【図１】
2008251106.tif 000003
【図２】
2008251106.tif 000004
【図３】
2008251106.tif 000005